(57)【特許請求の範囲】
【請求項１】
長尺のロールシートが巻かれて形成されたロール体と、
このロール体から引き出されたロールシートを、該ロールシートに画像を記録するための画像形成部に搬送する搬送経路と、
この搬送経路を挟んで対をなし互いの間に挟持したロールシートを搬送するローラであって、少なくとも一方が他方に対して所定の付勢力で押圧付勢されていると共に、ロールシートの交換時に上記付勢力に抗して互いの間隔を相対的に離すことのできる一対の搬送ローラとを備え、
少なくとも一方の搬送ローラが、該搬送ローラよりも上位の回動支点を中心として回動可能な回動支持板によって回転可能に支持されており、上記付勢力は回動支持板及び回動支持板に支持された搬送ローラの自重によって得られ、
上記搬送経路は、上記搬送ローラよりも上位に、搬送方向に沿って上向きに延びる部分を有している画像形成装置のロールシート搬送機構において、
上記上向きに延びる部分を挟んで対向配置された状態で上記搬送経路の少なくとも一部を区画する一対のガイド板と、
該一対のガイド板各々に支持され、上記ロールシートの先端を弾力的に挟持することにより上記セット位置に保持することのできる一対の弾性薄板とをさらに備え、
該一対の弾性薄板は、上方にいくにしたがって弾性薄板同士との間の間隔を狭め、その上端は弾力的に押圧付勢するようにお互いが接触しており、
ロールシートの交換時には該一対の弾性薄板の上端同士との間で、ロールシートの先端が挟持されて保持されることを特徴とする画像形成装置のロールシート搬送機構。
【請求項２】
請求項１記載の画像形成装置のロールシート搬送機構において、上記弾性薄板は、これを通過するロールシートの吸着電荷を除去する導電性材料を含むことを特徴とする画像形成装置のロールシート搬送機構。
【請求項３】
請求項１又は２に記載の画像形成装置のロールシート搬送機構において、上記弾性薄板は、対応するガイド板の幅方向の全域にわたって連続的に設けられることを特徴とする画像形成装置のロールシート搬送機構。
【発明の詳細な説明】
【０００１】
【発明の属する技術分野】
本発明は、ロール体から引き出されたロールシートに画像を記録する画像形成装置に適用される、画像形成装置のロールシート搬送機構に関する。
【０００２】
【従来の技術】
近年、静電式複写機において、例えば日本工業規格Ａ列０番（以下「Ａ０判」という。）のような大きなサイズの原稿の複写を行なうことができるものが提供されるに至っている。ここにいう「Ａ０判」とは、日本工業規格による紙の仕上り寸法の１つであり、８４１（ｍｍ）×１１８９（ｍｍ）の大きさをさす。
【０００３】
上記のＡ０判のような大きな複写シートを１枚ずつ取り扱うのは困難であるので、通常、上記の複写シートには、帯状の連続した複写シートを芯棒に巻回させてロール体を形成した状態で、複写機本体内に収容したロールシートが適用されている。上記のロール体を形成したロールシートを複写機本体にセットする際の動作の手順について、給紙機構の概略構成を示す模式的側面図である図８（ａ），（ｂ）を参照しつつ、説明する。これらの図において、３０９はベース板、３１０，３１１はガイド板である。
【０００４】
先ず、セットに際しては、図８（ａ）に示すように、対をなす給紙ローラ３０１，３０２の一方の給紙ローラ３０２を支持した回動支持板３０３を、軸線３０４の回りに回動させ、給紙経路を開放させると共に、図示しないロック機構によって回動支持板３０３の上記開放姿勢を保持する。この状態で、図８（ａ）に示すように、一方の手でロール体３０５を支えつつ供給リール３０６にセットすると共に、他方の手Ｈで、ロール体３０５から引き出されたロールシート３０７の先端３０８を摘んで支えつつ所定のセット位置に保持する。
【０００５】
次いで、図８（ｂ）に示すように、回動支持板３０４を図において時計回りに回動させ、給紙ローラ３０１，３０２同士の間でロールシート３０７を保持する。これにより、先端３０８を保持していた手Ｈを離すことが可能となる。なお、すわりの関係で、回動支持板３０３及び給紙ローラ３０２の自重によって、給紙ローラ３０２を給紙ローラ３０１側へ押圧付勢する力が得られるようになっている。
【０００６】
【発明が解決しようとする課題】
ところで、上記のようなセットの仕方では、回動支持板３０４を回動させて、給紙ローラ３０１，３０２間でロールシート３０７を挟持するまでは、ロールシート３０７の先端３０８を手Ｈにより支えておかなければならないが、両手が塞がることになり、セット時の操作性が悪かった。また、セット時の操作性が悪いために、セットされた先端３０８が斜
めになり易く、このため、ロールシートの斜め搬送に起因したジャムが起こり易かった。
【０００７】
そこで、本発明の課題は、ロール体を、該ロール体から引き出されたロールシートの先端を所定のセット位置に位置決めした状態で容易にセットすることができる、画像形成装置のロールシート搬送機構を提供することである。
【０００８】
【課題を解決するための手段】
上記課題を解決するため、
１）請求項１に係る発明は、長尺のロールシートが巻かれて形成されたロール体と、このロール体から引き出されたロールシートを、該ロールシートに画像を記録するための画像形成部に搬送する搬送経路と、この搬送経路を挟んで対をなし互いの間に挟持したロールシートを搬送するローラであって、少なくとも一方が他方に対して所定の付勢力で押圧付勢されていると共に、ロールシートの交換時に上記付勢力に抗して互いの間隔を相対的に離すことのできる一対の搬送ローラとを備え、少なくとも一方の搬送ローラが、該搬送ローラよりも上位の回動支点を中心として回動可能な回動支持板によって回転可能に支持されており、上記付勢力は回動支持板及び回動支持板に支持された搬送ローラの自重によって得られ、上記搬送経路は、上記搬送ローラよりも上位に、搬送方向に沿って上向きに延びる部分を有している画像形成装置のロールシート搬送機構において、上記上向きに延びる部分を挟んで対向配置された状態で上記搬送経路の少なくとも一部を区画する一対のガイド板と、該一対のガイド板各々に支持され、上記ロールシートの先端を弾力的に挟持することにより上記セット位置に保持することのできる一対の弾性薄板とをさらに備え、該一対の弾性薄板は、上方にいくにしたがって弾性薄板同士との間の間隔を狭め、その上端は弾力的に押圧付勢するようにお互いが接触しており、
ロールシートの交換時には該一対の弾性薄板の上端同士との間で、ロールシートの先端が挟持されて保持されることを特徴とするものである。
ることができる。
【０００９】
従来であれば、新たなロール体をセットする際には、一対の搬送ローラ間でロールシートを挟持するまでは、搬送ローラよりも上位にあるセット位置で、ロールシートの先端を手で支えておかなければならなかったが、本発明では、ロールシートの先端を、各ガイド板によって支持された一対の弾性薄板同士の間に弾力的に挟持してセット位置に保持することができる。
【００１０】
ここで、弾力的に挟持して保持するとは、非搬送時のロールシートの先端をセット位置に保持できるだけの弾性反発力を発生させることができ、且つ搬送時にはロールシートの搬送を許容することができる状態を意味する。
【００１１】
２）請求項２に係る発明は、請求項１記載の画像形成装置のロールシート搬送機構において、上記弾性薄板は、これを通過するロールシートの吸着電荷を除去する導電性材料を含むことを特徴とするものである。
【００１２】
上記構成によれば、導電性の弾性薄板が、搬送されるロールシートと摺接して、該ロールシートの吸着電荷を除去する。
３）請求項３に係る発明は、請求項１又は２に記載の画像形成装置のロールシート搬送機構において、上記弾性薄板は、対応するガイド板の幅方向の全域にわたって連続的に設けられることを特徴とするものである。
【００１４】
【発明の実施の形態】
以下、本発明の実施形態を添付図面を参照しつつ詳細に説明する。図１は本発明の一実施形態に係る複写機の内部構成を概略化した断面図であり、図２は外観構成を示す斜視図であり、図３は複写時の複写機の外観を示す斜視図である。この複写機は、例えばＡ０判のような大きなサイズの原稿の複写像を得るためのものである。この複写機では、原稿が搬送される一方で、固定配置した光学系により原稿面が照明走査され、この照明走査に基づいて画像が形成される。
【００１５】
図１を参照して、複写機本体１は、底部にキャスタ車輪２を設けており、自在に移動できるようになっている。図１ないし図３を参照して、複写機本体１の上部には、複写機本体１の上面に形成された原稿搬送路４１に沿って原稿９を搬送するための原稿搬送部１０が設けられている。複写機本体１の前面１ａには、トナー像が転写されたシートが排出される排出口５４が開口されている。この排出口５４から排出されたシートは、図３に示すように案内部材９１により案内されつつ先端を下向きにして落下され、複写機本体１の前面１ａに沿う前カバー５によって形成されたポケット９２内へ導入開口９３を通して順次に収容されるようになっている。また、複写機本体１の上面の端部には、複写に関連する各種の設定を行なうためスイッチやキー等を配した操作部１００が設けられている。
【００１６】
図１を参照して、複写機本体１の内部の高さ方向の中央部から下方の部分には、巻芯の周囲にロール状に巻回されてロール体４Ａ１，４Ｂ１及び４Ｃ１をそれぞれ構成する、上中下３段のロールシート４Ａ，４Ｂ及び４Ｃが収容されている。各ロール体４Ａ１，４Ｂ１及び４Ｃ１は、それぞれ供給リール５１，５２及び５３によって一体回転可能に支持されており、後述する給紙用モータＤＭによって駆動されて、ロールシート４Ａ，４Ｂ及び４Ｃをそれぞれ給紙し又巻取りすることができるようにされている。これらロールシート４Ａ，４Ｂ及び４Ｃの種類としては、普通紙、フィルム及びトレーシングペーパ等を例示することができる。
【００１７】
また、複写機本体１の中央部には、Ａ０判〜Ａ４判等の、予め所定長さに切断されたカットシートを、複写機本体１の前面１ａの手差し給紙部３０を通して供給するためのバイパス給紙経路Ｄ４が設けられている。図１１を参照して、複写機本体１の前面１ａの少なくとも一部は、各ロールシート４Ａ，４Ｂ及び４Ｃのロールを交換する際に、開放可能な前扉１ｂに構成されており、複写機本体１内には、上記前扉１ｂの開閉を検知する前扉開閉センサ１１０が配置されている。なお、図１１においては、ポケット９２を形成するための前カバー５の図示を省略した。
【００１８】
上段のロールシート４Ａは、上記供給リール５１、給紙ローラ６１、搬送されるロールシート４Ａの先端を検知する第１の先端検知スイッチ７１、搬送ローラ６２、カッタ機構８０、搬送ローラ６３、搬送される各シート４Ａ，４Ｂ，４Ｃ，４Ｄの先端を検知する第２の先端検知スイッチ７２、及び搬送ローラ３３を順次に介して、感光体ドラム２０に至る第１の給紙経路Ｄ１に沿って搬送される。
【００１９】
中段のロールシート４Ｂは、供給リール５２、給紙ローラ６４、搬送されるロールシート４Ｂの先端を検知する第３の先端検知スイッチ７３、搬送ローラ６２、カッタ機構８０、搬送ローラ６３、第２の先端検知スイッチ７２、及び搬送ローラ３３を順次に介して、感光体ドラム２０に至る第２の給紙経路Ｄ２に沿って搬送される。搬送ローラ６２以降の経路は、第１の給紙経路Ｄ１と共通である。
【００２０】
下段のロールシート４Ｃは、供給リール５３、対をなす給紙ローラ６５ａ，６５ｂ、搬送されるロールシート４Ｃの先端を検知する第４の先端検知スイッチ７４、搬送ローラ６２、カッタ機構８０、搬送ローラ６３、第２の先端検知スイッチ７２、及び搬送ローラ３３を順次に介して、感光体ドラム２０に至る第３の給紙経路Ｄ３に沿って搬送される。搬送ローラ６２以降の経路は、第１の給紙経路Ｄ１と共通である。
【００２１】
上記のバイパス給紙経路Ｄ４は、上記手差し給紙部３０から導入されたカットシート４Ｄを、搬送されるカットシートの先端を検知する第５の先端検知スイッチ７５、図示しない摺接板が摺接されることによりカットシートを捌く（１枚ずつ分離する）分離ローラ３２、搬送されるカットシートの先端を検知する第６の先端検知スイッチ７６、レジストローラ３９、第２の先端検知スイッチ７２、及び搬送ローラ３３を順次に介して、感光体ドラム２０に導く経路である。本バイパス給紙経路Ｄ４の、第２の先端検知スイッチ７２以降の経路は、第１の給紙経路Ｄ１と共通である。
【００２２】
また、上記のカッタ機構８０は、ケーシング８０Ａ内に、ロールシート４Ａ，４Ｂ又は４Ｃの搬送方向と直交する方向に延びた長尺の固定刃８１と、この固定刃８１との間で、搬送されるロールシート４Ａ，４Ｂ又は４Ｃを切断する回転刃８２とを備えている。カッタ機構８０を搬送される際の、各ロールシート４Ａ，４Ｂ，４Ｃの搬送方向は、上向きである。
【００２３】
上記原稿搬送部１０は、搬送方向を順方向Ｒ１又は逆方向Ｒ２に切り換えて原稿９を搬送するものである。画像形成動作は、原稿が順方向Ｒ１に搬送されるときに行なわれる。同一原稿から複数枚の複写が行なわれるときには、原稿搬送部１０は、搬送方向を、順方向Ｒ１及び逆方向Ｒ２に交互に切り換えて原稿９を搬送する。また、複写機本体１の上面において、順方向Ｒ１に関して原稿搬送部１０よりも上流側には、上記の原稿搬送路４１が複写機本体１の上面から迫り出す位置まで形成されている。
【００２４】
上記の原稿搬送部１０は、順方向Ｒ１に沿って、第１の原稿端検知スイッチ１１、第１の搬送ローラ１２、第２の原稿端検知スイッチ１６、第２の搬送ローラ１４、及び第３の搬送ローラ１５を順次に配置している。第１の搬送ローラ１２は、第１の原稿端検知スイッチ１１が、オフからオンになって原稿９の先端（順方向Ｒ１に関して下流側の端部）を検知することにより駆動開始される。第２の搬送ローラ１４は、原稿９をスリット露光するために透明板１３に対向する位置に設けられており、原稿９を透明板１３に密着させる。第３の搬送ローラ１５は、露光後の原稿９を排出する。
【００２５】
また、上記第２の原稿端検知スイッチ１６は、原稿９が順方向Ｒ１に搬送される際に、オフからオンに切り換わることにより、順方向Ｒ１に関する原稿９の先端を検知する。この第２の原稿端検知スイッチ１６がオンになることに応じて、ロールシート４Ａ，４Ｂ又は４Ｃ（以下、転写のために搬送されるロールシートＡ，４Ｂ又は４Ｃを、単に「ロールシート４」という）の搬送が開始され、その結果、原稿とロールシート４の搬送が同期されるようになっている。
【００２６】
また、上記第１の原稿端検知スイッチ１１は、順方向Ｒ１に原稿９が搬送される際に、オンからオフに切り換わることにより、順方向Ｒ１に関する原稿９の後端を検知する。この検知のタイミングから所定時間経過後の所定のタイミングで、カッタ機構８０が駆動され、ロールシート４が切断されるようになっている。本実施形態では、カッタ機構８０から転写用コロナ放電器２４の転写位置２０ｂに至るロールシート４の給紙経路の長さは、第１の原稿端検知スイッチ１１から原稿露光位置４４に至る原稿給紙経路の長さよりも、感光体ドラム２０の露光位置２０ａから転写位置２０ｂに至る長さの分だけ長く設定されている。これにより、上記のタイミングでの切断で得られたロールシート４の後端に、原稿９の後端に対応した画像を形成させることができるようになっている。
【００２７】
また、上記第２の原稿端検知スイッチ１６は、原稿９が逆方向Ｒ２に搬送される際に、オンからオフに切り換わることにより、逆方向Ｒ２に関する原稿９の後端を検出する。この第２の原稿端検知スイッチ１６がオフされることによって、搬送ローラ１２，１４，１５の駆動が停止される。このとき、原稿９の先端が搬送ローラ１２に挟持された状態となって、次の回の複写動作に備えられる。なお、８は、原稿の方向を反転させることにより、複写機本体１の背後への原稿９の落ち込みを防止する反転部材である。
【００２８】
透明板１３に関連して、原稿９の原稿面を照明するための原稿走査手段である光源１７が固定配置されている。この光源１７からの光は透明板１３を介して原稿表面に照射される。そして、原稿９の表面からの反射光はセルフォックレンズ１８により、複写機本体１の略中央部に設けた感光体ドラム２０の表面に導かれる。セルフォックレンズ１８からの光により露光される以前の感光体ドラム２０の表面は、帯電用コロナ放電器２１により一様に帯電されている。このため、露光後の感光体ドラム２０の表面には、原稿像に対応した静電潜像が形成されることになる。この静電潜像は、現像装置２２によってトナー像に顕像化される。このトナー像は、感光体ドラム２０が矢印２３方向に回転することによって、転写用コロナ放電器２４の近傍に導かれる。
【００２９】
一方、各給紙経路Ｄ１，Ｄ２又はＤ３から感光体ドラム２０に導かれたロールシート４は、さらに転写用コロナ放電器２４に近傍に導かれ、この転写用放電器２４のコロナ放電によって、感光体ドラム２０の表面のトナー像がロールシート４に転写される。トナー像が転写されたロールシート４は、剥離用コロナ放電器２５でのコロナ放電により感光体ドラム２０の表面から剥離され、さらに搬送路３４を通って定着装置３５に導かれる。この定着装置３５では、熱ローラ３７と圧ローラ３８間でロールシート４を加熱押圧することにより、トナーがロールシート４の表面に定着させられる。トナーが定着させられたロールシート４は、排出検知スイッチ５５を介して排出ローラ３６から複写機本体１外へ排出され、上述したように、案内部材９１を介してポケット９２に収容される。その一方で、トナー像の転写後の感光体ドラム２０の表面に残留するトナーは、クリーニング装置２６により除去され、次の静電潜像の形成のための用意がなされる。バイパス給紙経路Ｄ４から感光体ドラム２０に導かれるカットシート４Ｄについても、同様にして、トナー像が転写、定着され、ポケット９２へ排出される。
【００３０】
なお、上記の案内部材９１の上方には、案内補助板９４が配置されている。この案内補助板９４は、複写機本体１の前面１ａに取り付けられたステー９５に回動自在に支持されており、回動することによって、案内部材９１の前方に垂れ下がって排出されるロールシート４を案内部材９１と共にポケット９２へ案内する案内姿勢（図１において一点鎖線で示す）と、ステー９５に保持される収納姿勢（図１において実線で示す）とに変位可能である。
【００３１】
上記の感光体ドラム２０、現像装置２２及び転写用コロナ放電器２４などにより画像形成部が構成されている。本実施形態では、上記画像形成部を駆動するためのメインモータＭＭと、各シート４Ａ〜４Ｄを給紙するためのローラ群を駆動するための給紙用モータＤＭと、定着装置３５の熱ローラ３７及び圧ローラ３８等を駆動するための駆動手段としての定着用モータＦＭと、原稿搬送部１０を駆動するための原稿送り用モータＯＭとが設けられている。
【００３２】
次いで、本実施形態の特徴であるロールシート搬送機構としての給紙ユニットの模式的側面図である図４（ａ），（ｂ）、給紙ユニットの概略側面図である図５及び給紙ユニットの要部の分解斜視図である図６を参照して、給紙ユニットについて、下段のロールシート４Ｃに基づいて説明する。本給紙ユニットＵは、図５に示すような一体的なユニットを構成しており、給紙ユニットＵ全体が、複写機本体１の前方（図１において紙面右方であり、図５においてＸ方向）へ引き出すことができるようになっており、引き出した状態で、ロールシート４Ｃのロール体４Ｃ１をセットするようにされている。
【００３３】
図４（ａ），（ｂ）及び図６を参照して、４０１はベース板であり、４０２は給紙ユニットＵの後面を形成する外ガイド板であり、また、４０３は外ガイド板４０２に対向して、該外ガイド板４０２との間に、第３の給紙経路Ｄ３の一部を区画する内ガイド板である。これらガイド板４０２，４０３は導電性金属部材からなる。
【００３４】
上記外ガイド板４０２が、給紙ローラ６５ａ，６５ｂよりも上位において、第３の給紙経路Ｄ３の上向きに延びる部分Ｄ３１を区画している。上記内ガイド板４０３は、図６に示すように、略アングル形をしており、主体部４０７の上端に上延設部４０８を有し、下端の一部に斜め下向きに延びる下延設部４０９を有している。そして、上記主体部４０７の下端付近に弾性薄板４１０の下端４１１が貼り付けられて固定されている。この弾性薄板４１０は、図４（ａ），（ｂ）に示すように、上方にいくにしたがって外ガイド板４０２との間の間隔を狭めており、その上端４１２は、外ガイド板４０２に弾力的に押圧付勢されている。この弾性薄板４１０の上端４１２と外ガイド板４０２との間で、図４（ｂ）に示すように、ロールシート４Ｃの先端４Ｃ２が挟持されて保持される。
【００３５】
弾性薄板４１０の材質としては、合成樹脂フィルム、例えばＰＥＴフィルムを採用することが好ましい。特に、樹脂に導電性材料としてカーボン粉等が混入された導電性のものを採用することが、搬送されるロールシート４Ｃの吸着電荷を除去できる点で好ましい。フィルムの厚みとしては、片持ち状態で取り付けられた弾性薄板４１０が、所定の曲げ剛性を持つように設定される。ここで、所定の曲げ剛性とは、ロールシート４Ｃの先端４Ｃ２をセット位置に保持できるだけの弾性反発力を発生させることができ、且つロールシート４Ｃの搬送を許容することができる程度の曲げ剛性である。
【００３６】
また、一方の給紙ローラ６５ｂは、軸線４０６を中心として回動可能な回動支持板４０５によって回転自在に支持されている。この回動支持板４０５は、図４（ｂ）に示すように両給紙ローラ６５ａ，６５ｂを互いに接触させる状態に、セットされる。この状態では、すわりの関係で、回動支持板４０５及び給紙ローラ６５ｂの自重によって、給紙ローラ６５ｂを給紙ローラ６５ａ側へ押圧付勢する力が得られるようになっている。また、回動支持板４０５は、図４（ａ）に示す姿勢、すなわち、給紙経路を大きく開放した姿勢を保持できるように、給紙ユニットＵの側板Ｕ１（図５参照）に係合機構（図示せず）によってロックされるようになっている。
【００３７】
次いで、ロールシート４Ｃを所定量引き出した状態でロール体４Ｃ１をセットする際の動作の手順について説明する。まず、複写機本体１の前扉１ｂを開放した後、図５に示すユニットＵ全体を複写機本体１の前方へ引き出す。次いで、回動支持板４０５を回動させて図４（ａ）に示す開放姿勢にロックする。次いで、ロール体４Ｃ１からロールシート４Ｃを所定量引き出した状態で、ロール体４Ｃ１をセットした後、図４（ａ）に示すように、ロールシート４Ｃの先端を外ガイド４０２に沿って上方へ押し上げる。押し上げられたロールシート４Ｃの先端４Ｃ２は、弾性薄板４１０と外ガイド板４０２の両者に案内されて、図４（ｂ）に示すように両者間の間隔を押し拡げながら両者間に導入され、両者によって挟持されて保持される状態となる。この時点で、ロールシート４Ｃの先端４Ｃ２を手で支える必要がなくなり、その後の作業では、両手を使用できることになる。
【００３８】
上記実施形態によれば、新たなロール体４Ｃ１を所定のセット状態にセットする際に、該ロール体４Ｃ１から引き出されたロールシート４Ｃの先端４Ｃ２を、弾性薄板４１０と外ガイド板４０２との間に弾力的に挟持してセット位置に保持できる。したがって、ロール体４Ｃ１を所定のセット状態に容易にセットすることができ、ひいては、新旧のロール体４Ｃ１を交換するときの操作性が格段に向上する。また、ロールシート４Ｃの先端４Ｃ２を斜めになることなく真っ直ぐにセットできるので、ロールシート４Ｃの斜め搬送に起因したジャムの発生を防止することができる。
【００３９】
また、ロール体４Ｃ１のセット時に、該ロール体４Ｃ１から引き出されたロールシート４Ｃの先端４Ｃ２を、第３の給紙経路Ｄ３に沿って下方から押し上げるだけで、上記先端４Ｃ２が外ガイド板４０２及び弾性薄板４１０によって案内されて自動的にセット位置にセットされる。その結果、ロール体４Ｃ１を交換するときの操作性が一層に向上する。
【００４０】
さらに、弾性薄板４１０を導電性としたので、搬送されるロールシート４Ｃの吸着電荷を除去できる結果、静電気に起因したジャム発生を確実に防止することができる。なお、中段のロールシート４Ｂに関しても、本実施形態と全く同様の構成にて、同様の作用効果を奏することができるようになっている。
【００４１】
本発明は上記実施形態に限定されるものではなく、例えば、弾性薄板４１０は、外ガイド板４０２のみに取り付けられ、内ガイド板４０３に押圧されるものであっても良い。また、図７に示すように、外ガイド板４０２によって支持された弾性薄板４１１を設け、両ガイド板４０２，４０３のそれぞれに取り付けても良い。この場合、ロールシート４Ｃの先端４Ｃ２は一対の弾性薄板４１０間に保持されることになる。
【００４２】
さらに、弾性薄板４１０として、樹脂フィルムの表面に導電性塗料を塗布したものを採用することもできる。その他、本発明の範囲で種々の変更を施すことができる。
【００４３】
【発明の効果】
請求項１に係る発明によれば、新たなロール体をセットする際に、該ロール体から引き出されたロールシートの先端を、各ガイド板によって支持された一対の弾性薄板同士の間に弾力的に挟持してセット位置に保持できるので、ロール体を容易にセットすることができる。
また、ロールシートの先端を斜めになることなくセットできるので、ロールシートの斜め搬送に起因したジャムの発生を防止できる。
【００４５】
請求項２に係る発明によれば、導電性の弾性薄板によって、搬送されるロールシートの吸着電荷を除去できるので、静電気に起因したジャム発生を確実に防止することができる。
【図面の簡単な説明】
【図１】本発明の一実施形態に係るロールシート搬送機構が適用された複写機の内部構成を示す簡略化した断面図である。
【図２】複写機の外観構成を示す斜視図である。
【図３】使用状態の複写機の斜視図である。
【図４】給紙ユニットの模式的側面図であり、（ａ），（ｂ）はロールシートをセットする手順を順次に示している。
【図５】ロールシート搬送機構を構成する給紙ユニットの概略斜視図である。
【図６】給紙ユニットの要部の分解斜視図である。
【図７】本発明の他の実施形態に係るロールシート搬送機構の要部の模式的側面図である。
【図８】従来のロールシート搬送機構の模式的側面図であり、（ａ），（ｂ）はロールシートをセットする手順を順次に示している
【符号の説明】
４Ｃ            ロールシート
４Ｃ１        ロール体
４Ｃ２        先端
Ｄ３            第３の給紙経路
Ｄ３１        上向きに延びる部分
６５ａ，６５ｂ    給紙ローラ
４０２        外ガイド板（他方のガイド板）
４０３        内ガイド板（一方のダイド板）
４１０        弾性薄板
【図１】
0003616590.tif 000002
【図２】
0003616590.tif 000003
【図３】
0003616590.tif 000004
【図４】
0003616590.tif 000005
【図５】
0003616590.tif 000006
【図６】
0003616590.tif 000007
【図７】
0003616590.tif 000008
【図８】
0003616590.tif 000009